(57)【要約】【課題】植物に必要な栄養を供給するとともに、容易に栽培容器をシート状給液用導液材から離して持ち運び自在となる栽培装置を提供すること。【解決手段】シート状給液用導液材１４０が、容器支持体１２０の上に配設されるとともに、シート状給液用導液材１４０の一部が、培養液用容器１３０の内部の培養液ＦＬに浸かり、栽培容器１１０が、筒状側壁部１１１と防根フィルムで形成された底フィルム部１１２とを有してしてシート状給液用導液材１４０の上に載置自在に設けられ、栽培容器１１０がシート状給液用導液材１４０の上に載置されているとき、底フィルム部１１２が、シート状給液用導液材１４０と接触していることを特徴とする栽培装置１００。【選択図】図２
2018064462.tif 000002
【特許請求の範囲】
【請求項１】
植物を収容する栽培容器と、前記栽培容器を支持する容器支持体と、培養液を貯える培養液用容器と、培養液を栽培容器の内部の植物へ導くシート状給液用導液材とを備えた栽培装置において、
前記シート状給液用導液材が、前記容器支持体の上に配設されるとともに、前記シート状給液用導液材の一部が、前記培養液用容器の内部の培養液に浸かり、
前記栽培容器が、筒状側壁部と防根フィルムで形成された底フィルム部とを有してシート状給液用導液材の上に載置自在に設けられ、
前記栽培容器がシート状給液用導液材の上に載置されているとき、前記底フィルム部が、前記シート状給液用導液材と接触していることを特徴とする栽培装置。
【請求項２】
前記容器支持体の上に配設されたシート状給液用導液材を覆うとともにシート状給液用導液材に対する栽培容器の位置を決める板状容器位置決めホルダーをさらに備え、
前記板状容器位置決めホルダーが、前記栽培容器を位置決めする穴を有してシート状給液用導液材の上に配設され、
前記栽培容器が、前記板状容器位置決めホルダーの穴に着脱自在に挿入され、
前記栽培容器が板状容器位置決めホルダーの穴に入っているとき、前記筒状側壁部が、前記穴の内側と接触するとともに、前記底フィルム部が、前記シート状給液用導液材と接触していることを特徴する請求項１に記載の栽培装置。
【請求項３】
前記栽培容器の底フィルム部の上に吸水性の容器内給液用導液材が配設されていることを特徴とする請求項１または請求項２に記載の栽培装置。
【請求項４】
前記栽培容器の内部において、前記容器内給液用導液材が、前記栽培容器の底部から側方に延びてから上方へ延びて培地の内部で水平方向に延びて側視コ字状に設けられていることを特徴とする請求項３に記載の栽培装置。
【請求項５】
前記容器内給液用導液材の側視コ字状の導液材上部が、帯状に形成されて前記栽培容器の平面視で栽培容器の中央のみを横切って両側方を横切らない構成であることを特徴とする請求項４に記載の栽培装置。
【請求項６】
前記容器支持体が、前記培養液用容器の底部と接触した状態で栽培容器を支持していることを特徴とする請求項１乃至請求項５のいずれか１つに記載の栽培装置。
【請求項７】
前記容器支持体が、前記培養液用容器の内部の培養液の上に浮かんだ状態で栽培容器を支持していることを特徴とする請求項１乃至請求項５のいずれか１つに記載の栽培装置。
【請求項８】
栽培容器と容器支持体と培養液用容器とシート状給液用導液材とを備え、前記シート状給液用導液材が、前記容器支持体の上に配設されるとともに、前記シート状給液用導液材の一部が、前記培養液用容器の内部の培養液に浸かり、前記栽培容器が、筒状側壁部と防根フィルムで形成された底フィルム部とを有してシート状給液用導液材の上に載置自在に設けられ、前記栽培容器がシート状給液用導液材の上に載置されているとき、前記底フィルム部がシート状給液用導液材と接触する構成の栽培装置を用いた栽培方法であって、
前記シート状給液用導液材が、前記培養液用容器の内部の培養液を吸い上げる培養液吸い上げ工程と、
前記シート状給液用導液材が、前記培養液吸い上げ工程で吸い上げた培養液を栽培容器の内部へ供給する培養液供給工程とを具備していることを特徴とする栽培方法。
【発明の詳細な説明】
【技術分野】
【０００１】
本発明は、植物を収容する栽培容器と、栽培容器を支持する容器支持体と、培養液を貯える培養液用容器と、培養液を栽培容器の内部の植物へ導くシート状給液用導液材とを備えた栽培装置、および栽培装置を用いた栽培方法に関する。
【背景技術】
【０００２】
従来、栽培装置として、植物と浮き板と培養土と培養液とを収容する容器を備えた装置が知られている（例えば、特許文献１）。
【先行技術文献】
【特許文献】
【０００３】
【特許文献１】特開平１１−２８９８５９号公報（特に図１乃至図３参照）
【発明の概要】
【発明が解決しようとする課題】
【０００４】
しかしながら、上述した従来の装置は、１つの栽培容器の内部に複数の植物を１枚の浮き板に形成されたそれぞれの挿し穂刺込孔に固定する構造であったため、植物の根が成長すると、個々の植物をそれぞれ取り出して持ち運ぶことが困難であるという問題があった。
特に、家庭菜園として植物を育てて食卓やキッチンへ持ち運んで植物の食用の一部を摘んでから元に戻すことが困難だった。
【０００５】
そこで、本発明は、前述したような従来技術の問題を解決するものであって、すなわち、本発明の目的は、植物に必要な栄養を供給するとともに、容易に栽培容器をシート状給液用導液材から離して持ち運び自在となる栽培装置、および栽培装置を用いた栽培方法を提供することである。
【課題を解決するための手段】
【０００６】
本請求項１に係る発明は、植物を収容する栽培容器と、前記栽培容器を支持する容器支持体と、培養液を貯える培養液用容器と、培養液を栽培容器の内部の植物へ導くシート状給液用導液材とを備えた栽培装置において、前記シート状給液用導液材が、前記容器支持体の上に配設されるとともに、前記シート状給液用導液材の一部が、前記培養液用容器の内部の培養液に浸かり、前記栽培容器が、筒状側壁部と防根フィルムで形成された底フィルム部とを有してシート状給液用導液材の上に載置自在に設けられ、前記栽培容器がシート状給液用導液材の上に載置されているとき、前記底フィルム部が、前記シート状給液用導液材と接触していることにより、前述した課題を解決するものである。
【０００７】
本請求項２に係る発明は、請求項１に記載された栽培装置の構成に加えて、前記容器支持体の上に配設されたシート状給液用導液材を覆うとともにシート状給液用導液材に対する栽培容器の位置を決める板状容器位置決めホルダーをさらに備え、前記板状容器位置決めホルダーが、前記栽培容器を位置決めする穴を有してシート状給液用導液材の上に配設され、前記栽培容器が、前記板状容器位置決めホルダーの穴に着脱自在に挿入され、前記栽培容器が板状容器位置決めホルダーの穴に入っているとき、前記筒状側壁部が、前記穴の内側と接触するとともに、前記底フィルム部が、前記シート状給液用導液材と接触していることにより、前述した課題をさらに解決するものである。
【０００８】
本請求項３に係る発明は、請求項１または請求項２に記載された栽培装置の構成に加えて、前記栽培容器の底フィルム部の上に吸水性の容器内給液用導液材が配設されていることにより、前述した課題をさらに解決するものである。
【０００９】
本請求項４に係る発明は、請求項３に記載された栽培装置の構成に加えて、前記栽培容器の内部において、前記容器内給液用導液材が、前記栽培容器の底部から側方に延びてから上方へ延びて培地の内部で水平方向に延びて側視コ字状に設けられていることにより、前述した課題をさらに解決するものである。
【００１０】
本請求項５に係る発明は、請求項４に記載された栽培装置の構成に加えて、前記容器内給液用導液材の側視コ字状の導液材上部が、帯状に形成されて前記栽培容器の平面視で栽培容器の中央のみを横切って両側方を横切らない構成であることにより、前述した課題をさらに解決するものである。
【００１１】
本請求項６に係る発明は、請求項１乃至請求項５のいずれか１つに記載された栽培装置の構成に加えて、前記容器支持体が、前記培養液用容器の底部と接触した状態で栽培容器を支持していることにより、前述した課題をさらに解決するものである。
【００１２】
本請求項７に係る発明は、請求項１乃至請求項５のいずれか１つに記載された栽培装置の構成に加えて、前記容器支持体が、前記培養液用容器の内部の培養液の上に浮かんだ状態で栽培容器を支持していることにより、前述した課題をさらに解決するものである。
【００１３】
本請求項８に係る発明は、栽培容器と容器支持体と培養液用容器とシート状給液用導液材とを備え、前記シート状給液用導液材が、前記容器支持体の上に配設されるとともに、前記シート状給液用導液材の一部が、前記培養液用容器の内部の培養液に浸かり、前記栽培容器が、筒状側壁部と防根フィルムで形成された底フィルム部とを有してシート状給液用導液材の上に載置自在に設けられ、前記栽培容器がシート状給液用導液材の上に載置されているとき、前記底フィルム部がシート状給液用導液材と接触する構成の栽培装置を用いた栽培方法であって、前記シート状給液用導液材が、前記培養液用容器の内部の培養液を吸い上げる培養液吸い上げ工程と、前記シート状給液用導液材が、前記培養液吸い上げ工程で吸い上げた培養液を栽培容器の内部へ供給する培養液供給工程とを具備していることにより、前述した課題を解決するものである。
【発明の効果】
【００１４】
本発明の栽培装置は、植物を収容する栽培容器と、栽培容器を支持する容器支持体と、培養液を貯える培養液用容器と、培養液を栽培容器の内部の植物へ導くシート状給液用導液材とを備えていることにより、植物に必要な栄養を供給することができるばかりでなく、以下のような特有の効果を奏することができる。
【００１５】
本請求項１に係る発明の栽培装置によれば、栽培容器がシート状給液用導液材の上に載置されているとき、毛管現象により培養液がシート状給液用導液材の内部を移動して防根フィルムを介して栽培容器の内部へ導かれるため、植物に必要な栄養を供給することができる。
さらに、栽培容器の植物の根が栽培容器の内部に収まったままでシート状給液用導液材と直接接触せずシート状給液用導液材に絡まらないため、容易に栽培容器をシート状給液用導液材から離して持ち運ぶことができる。
特に、食卓やキッチンへ持ち運んで植物の食用の一部を摘んでから元に戻すことで容易に家庭菜園を楽しむことができる。
【００１６】
本請求項２に係る発明の栽培装置によれば、請求項１に係る発明が奏する効果に加えて、容器支持体の上に配設されたシート状給液用導液材が覆われているため、培養液の蒸発を最小に抑えることができる。
さらに、栽培容器が板状容器位置決めホルダーの穴に入って栽培容器の位置が決められるため、栽培容器の姿勢を安定させることができる。
【００１７】
本請求項３に係る発明の栽培装置によれば、請求項１または請求項２に係る発明が奏する効果に加えて、シート状給液用導液材から培養液を栽培容器の内部へ引き上げる力が増すため、植物に必要な栄養をより効果的に供給することができる。
さらに、栽培容器がシート状給液用導液材から離されて持ち運ばれているときに培養液が容器内給液用導液材とその周辺で保持されるため、培養液が滴ることを回避できる。
また、栽培容器がシート状給液用導液材から離されて持ち運ばれている時間が長い場合であっても培養液が容器内給液用導液材とその周辺で保持されているため、植物に必要な栄養を供給し続けることができる。
【００１８】
本請求項４に係る発明の栽培装置によれば、請求項３に係る発明が奏する効果に加えて、側視コ字状の導液材上部が種の近傍に位置して種に培養液が供給されるため、高い確率で発芽させることができる。
さらに、側視コ字状の導液材上部に種をまくと種が導液材上部に支持されて光線を受けやすくなるため、成長の早い丈夫な植物ができる。
【００１９】
本請求項５に係る発明の栽培装置によれば、請求項４に係る発明が奏する効果に加えて、根が育つときに容器内給液用導液材の導液材上部が僅かに根に接するだけになるため、容器内給液用導液材の導液材上部を設けた場合であっても根の発育の妨げになることを回避できる。
【００２０】
本請求項６に係る発明の栽培装置によれば、請求項１乃至請求項５のいずれか１つに係る発明が奏する効果に加えて、栽培容器がシート状給液用導液材から離されて持ち運ばれた場合であっても容器支持体の姿勢が変位しないため、シート状給液用導液材の上に残された栽培容器が不安定に傾いてしまうことを回避できる。
【００２１】
本請求項７に係る発明の栽培装置によれば、請求項１乃至請求項５のいずれか１つに係る発明が奏する効果に加えて、培養液の量に応じて容器支持体が高さ方向に変位してシート状給液用導液材が培養液と常に接触するため、培養液を栽培容器の内部へ安定して供給することができる。
【００２２】
本請求項８に係る発明の栽培方法によれば、栽培容器がシート状給液用導液材の上に載置されているとき、毛管現象により培養液がシート状給液用導液材の内部を移動して防根フィルムを介して栽培容器の内部へ導かれるため、植物に必要な栄養を供給することができる。
さらに、栽培容器の植物の根が栽培容器の内部に収まったままでシート状給液用導液材と直接接触せずシート状給液用導液材に絡まらないため、容易に栽培容器をシート状給液用導液材から離して持ち運ぶことができる。
特に、食卓やキッチンへ持ち運んで植物の食用の一部を摘んでから元に戻すことで容易に家庭菜園を楽しむことができる。
【図面の簡単な説明】
【００２３】
【図１】（Ａ）は本発明の第１実施例の栽培装置の概略を示す平面図、（Ｂ）は蓋の平面図、（Ｃ）は（Ｂ）の符号１Ｃ−１Ｃで視た断面図。
【図２】図１（Ａ）の符号２−２で視た概略断面図。
【図３】（Ａ）は図２の符号３Ａで示す栽培容器の拡大断面図、（Ｂ）は図２の符号３Ｂで示す栽培容器の拡大断面図。
【図４】（Ａ）は図３（Ｂ）に示す符号４Ａから視た概略図、（Ｂ）は（Ａ）の変形例を示す概略図。
【図５】本発明の第２実施例の栽培装置の概略を示す断面図。
【発明を実施するための形態】
【００２４】
本発明の栽培装置は、植物を収容する栽培容器と、栽培容器を支持する容器支持体と、培養液を貯える培養液用容器と、培養液を栽培容器の内部の植物へ導くシート状給液用導液材とを備えた栽培装置において、シート状給液用導液材が、容器支持体の上に配設されるとともに、シート状給液用導液材の一部が、前記培養液用容器の内部の培養液に浸かり、栽培容器が、筒状側壁部と防根フィルムで形成された底フィルム部とを有してシート状給液用導液材の上に載置自在に設けられ、栽培容器がシート状給液用導液材の上に載置されているとき、底フィルム部が、シート状給液用導液材と接触していることにより、植物に必要な栄養を供給するとともに、容易に栽培容器をシート状給液用導液材から離して持ち運び自在となるものであれば、その具体的な実施態様は、如何なるものであっても構わない。
【００２５】
また、本発明の栽培方法は、栽培容器と容器支持体と培養液用容器とシート状給液用導液材とを備え、シート状給液用導液材が、容器支持体の上に配設されるとともに、シート状給液用導液材の一部が、培養液用容器の内部の培養液に浸かり、栽培容器が、筒状側壁部と防根フィルムで形成された底フィルム部とを有してシート状給液用導液材の上に載置自在に設けられ、栽培容器がシート状給液用導液材の上に載置されているとき、底フィルム部がシート状給液用導液材と接触する構成の栽培装置を用いた栽培方法であって、シート状給液用導液材が、培養液用容器の内部の培養液を吸い上げる培養液吸い上げ工程と、シート状給液用導液材が、培養液吸い上げ工程で吸い上げた培養液を栽培容器の内部へ供給する培養液供給工程とを具備していることにより、植物に必要な栄養を供給するとともに、容易に栽培容器をシート状給液用導液材から離して持ち運び自在となるものであれば、その具体的な実施態様は、如何なるものであっても構わない。
【００２６】
例えば、底フィルム部は、栽培容器の底面の少なくとも一部に形成された開口窓に設けられたものでもよく、底面の全面でなくてもよい。
さらに、栽培容器の筒状側壁部や底面の開口窓の枠に対して底フィルム部として防根フィルムが接合されていればよく、その接合の仕方は、接着、溶着、圧着など如何なるものであっても構わない。
また、防根フィルムは、フィルム状やシート状に形成され、培養液および空気を通過させるが植物の根や培地を通過させないものであれば、その具体的な実施態様は、如何なるものであっても構わない。
【実施例１】
【００２７】
以下に、本発明の第１実施例である栽培装置１００について、図１（Ａ）乃至図４（Ｂ）に基づいて説明する。
ここで、図１（Ａ）は、本発明の第１実施例の栽培装置の概略を示す平面図であり、図１（Ｂ）は、蓋１５２の平面図、図１（Ｃ）は、図１（Ｂ）の符号１Ｃ−１Ｃで視た断面図であり、図２は、図１（Ａ）の符号２−２で視た概略断面図であり、図３（Ａ）は、図２の符号３Ａで示す栽培容器１１０の拡大断面図であり、図３（Ｂ）は、図２の符号３Ｂで示す栽培容器１１０の拡大断面図であり、図４（Ａ）は、図３（Ｂ）に示す符号４Ａから視た概略図であり、図４（Ｂ）は、図４（Ａ）の変形例を示す概略図である。
【００２８】
本発明の第１実施例である栽培装置１００は、図１乃至図４（Ａ）に示すように、栽培容器１１０と、容器支持体１２０と、培養液用容器１３０と、シート状給液用導液材１４０とを備えている。
このうち、栽培容器１１０は、植物ＰＴを収容するものであり、栽培容器１１０の内部には、培地ＣＭが入れられ、この培地ＣＭに植物ＰＴが植えられている。
【００２９】
図２に示すように、容器支持体１２０は、栽培容器１１０を支持するものであり、培養液用容器１３０の内部に配設されている。
本実施例では、容器支持体１２０は、一例として、脚部１２１を有している。
脚部１２１は、容器支持体１２０の下方に設けられ、下方へ延びて培養液用容器１３０の底部１３３と接触している。
つまり、容器支持体１２０は、培養液用容器１３０の内部の培養液ＦＬに浮いている構成ではなく、培養液用容器１３０の底部１３３に立って栽培容器１１０を支持する構成である。
【００３０】
培養液用容器１３０は、培養液ＦＬを貯えるものであり、所謂、水槽の役割を果たす。
本実施例の培養液用容器１３０は、一例として、培養液ＦＬを培養液用容器１３０の外部へ排出する排液口１３１と、培養液ＦＬを培養液用容器１３０の内部へ供給する給液口１３２とを有している。
本実施例では、培養液ＦＬの水位ＷＬを一定にするように制御されているものとする。
【００３１】
シート状給液用導液材１４０は、培養液ＦＬを栽培容器１１０の内部の植物ＰＴへ導くものである。
本実施例のシート状給液用導液材１４０は、毛管現象で液体を吸い上げて移動させるフェルトや不織布である。
図２に示すように、シート状給液用導液材１４０の一部として両側の端部１４１が、培養液用容器１３０の内部の培養液ＦＬに浸かるとともに、シート状給液用導液材１４０の中央部１４２が、容器支持体１２０の上に配設されている。
ここで、中央部１４２とは、端部１４１以外の中央とその近傍部分をいう。
なお、図２において、シート状給液用導液材１４０の中央部１４２と容器支持体１２０との間に隙間があって、互いに接触していないが、別部材であることを理解しやすくするためである。実際には、シート状給液用導液材１４０の中央部１４２が、容器支持体１２０と接触するものとする。
【００３２】
栽培容器１１０が、樹脂で形成された筒状側壁部１１１と、防根フィルムで形成された底フィルム部１１２とを有している。
そして、栽培容器１１０が、シート状給液用導液材１４０の上に載置自在に設けられている。
栽培容器１１０がシート状給液用導液材１４０の上に載置されているとき、底フィルム部１１２が、シート状給液用導液材１４０と接触している。
これにより、毛管現象により培養液ＦＬがシート状給液用導液材１４０の内部を移動して防根フィルムを介して栽培容器１１０の内部へ導かれる。
その結果、植物ＰＴに必要な栄養を供給することができる。
さらに、各栽培容器１１０の植物ＰＴの根が栽培容器１１０の内部に収まったままでシート状給液用導液材１４０と直接接触せずシート状給液用導液材１４０に絡まらない。
その結果、容易に各栽培容器１１０をシート状給液用導液材１４０から離して持ち運ぶことができる。
特に、食卓やキッチンへ持ち運んで植物ＰＴの食用の一部を摘んでから元に戻すことで容易に家庭菜園を楽しむことができる。
【００３３】
さらに、本実施例では、板状容器位置決めホルダー１５０が、シート状給液用導液材１４０の中央部１４２を覆うとともにシート状給液用導液材１４０に対する栽培容器１１０の位置を決めるように構成されている。
これにより、シート状給液用導液材１４０の中央部１４２が覆われる。
その結果、培養液ＦＬの蒸発を最小に抑えることができる。
【００３４】
また、板状容器位置決めホルダー１５０が、シート状給液用導液材１４０の上に配設され、栽培容器１１０を位置決めする穴１５１を複数有している。
さらに、栽培容器１１０が、板状容器位置決めホルダー１５０の穴１５１に着脱自在に挿入されている。
また、栽培容器１１０が板状容器位置決めホルダー１５０の穴１５１に入っているとき、筒状側壁部１１１が、穴１５１の内側と接触する。
これにより、栽培容器１１０が板状容器位置決めホルダー１５０の穴１５１に入って栽培容器１１０の位置が決められる。
その結果、栽培容器１１０の姿勢を安定させることができる。
【００３５】
なお、図１（Ａ）および図２において、筒状側壁部１１１と穴１５１の内側との間に隙間があって、互いに接触していないが、これは、別部材であることを理解しやすくするためである。実際には、筒状側壁部１１１の全周囲のうちの少なくとも一部が、穴１５１の内側の少なくとも一部と接触するものとする。
これとともに、底フィルム部１１２が、シート状給液用導液材１４０と接触している。
【００３６】
これにより、毛管現象により培養液ＦＬがシート状給液用導液材１４０の内部を移動して防根フィルムを介して栽培容器１１０の内部へ導かれる。
その結果、植物ＰＴに必要な栄養を供給することができる。
さらに、各栽培容器１１０の植物ＰＴの根が栽培容器１１０の内部に収まったままでシート状給液用導液材１４０と直接接触せずシート状給液用導液材１４０に絡まらない。
その結果、容易に各栽培容器１１０をシート状給液用導液材１４０から離して板状容器位置決めホルダー１５０の穴１５１から出して持ち運ぶことができる。
特に、食卓やキッチンへ持ち運んで植物ＰＴの食用の一部を摘んでから元に戻すことで容易に家庭菜園を楽しむことができる。
なお、複数の穴１５１のうち、栽培容器１１０を入れない穴１５１には、図１（Ａ）乃至図１（Ｃ）に示すように、蓋１５２を穴１５１に配置すると、培養液ＦＬの蒸発を抑制するとともに、外気の熱が内部の培養液ＦＬに伝わりにくくする断熱効果が得られて培養液ＦＬを低温で維持することができる。
【００３７】
さらに、本実施例では、栽培容器１１０の底フィルム部１１２の上に吸水性の容器内給液用導液材１１３が配設されている。
容器内給液用導液材１１３は、一例としてシート状の不織布で形成されている。
これにより、シート状給液用導液材１４０から培養液ＦＬを栽培容器１１０の内部へ引き上げる力が増す。
その結果、植物ＰＴに必要な栄養をより効果的に供給することができる。
さらに、各栽培容器１１０が板状容器位置決めホルダー１５０の穴１５１から取り出されたときに培養液ＦＬが容器内給液用導液材１１３とその周辺で保持される。
その結果、培養液ＦＬが滴ることを回避できる。
また、各栽培容器１１０が板状容器位置決めホルダー１５０の穴１５１から取り出されている時間が長い場合であっても培養液ＦＬが容器内給液用導液材１１３とその周辺で保持されている。
その結果、植物ＰＴに必要な栄養を供給し続けることができる。
【００３８】
また、本実施例の図２の２つの栽培容器１１０のうち、右側では、図３（Ｂ）に示すように、栽培容器１１０の内部において、容器内給液用導液材１１３が、栽培容器１１０の底部から側方に延びてから上方へ延びて培地ＣＭの内部で水平方向に延びて側視コ字状に設けられている。
具体的には、栽培容器１１０の内部の底に設けられた導液材底部１１３ａと、導液材底部１１３ａから上方へ延設された導液材上方延設部１１３ｂと、導液材上方延設部１１３ｂの上端から水平方向に延設された導液材上部１１３ｃとを有している。
【００３９】
これにより、側視コ字状の導液材上部１１３ｃが種の近傍に位置して種に培養液ＦＬが供給される。
その結果、高い確率で発芽させることができる。
さらに、側視コ字状の導液材上部１１３ｃに種をまくと種が導液材上部１１３ｃに支持されて光線を受けやすくなる。
その結果、成長の早い丈夫な植物ＰＴができる。
【００４０】
また、本実施例の図３（Ｂ）の栽培容器１１０では、図４（Ａ）に示すように、容器内給液用導液材１１３の側視コ字状の導液材上部１１３ｃが、栽培容器１１０の平面視で栽培容器１１０の内部の全範囲に設けられている。
図４（Ｂ）に示す変形例では、容器内給液用導液材１１３の側視コ字状の導液材上部１１３ｄが、帯状に形成されて栽培容器１１０の平面視で栽培容器１１０の中央のみを横切って両側方を横切らない構成である。
これにより、根が育つときに容器内給液用導液材１１３の導液材上部１１３ｄが僅かに根に接するだけになる。
その結果、容器内給液用導液材１１３の導液材上部１１３ｄを設けた場合であっても根の発育の妨げになることを回避できる。
【００４１】
また、本実施例では、前述したように、容器支持体１２０が、脚部１２１を有して培養液用容器１３０の底部１３３と接触した状態で栽培容器１１０を支持している。
これにより、各栽培容器１１０が板状容器位置決めホルダー１５０の穴１５１から取り出された場合であっても容器支持体１２０の姿勢が変位しない。
その結果、板状容器位置決めホルダー１５０の穴１５１の中に残された栽培容器１１０および板状容器位置決めホルダー１５０が不安定に傾いてしまうことを回避できる。
【００４２】
また、栽培方法としては、本実施例の栽培装置１００の構成を前提にして、シート状給液用導液材１４０が、培養液用容器１３０の内部の培養液ＦＬを吸い上げる（培養液吸い上げ工程）。
そして、シート状給液用導液材１４０が、培養液吸い上げ工程で吸い上げた培養液ＦＬを栽培容器１１０の内部へ供給する（培養液供給工程）。
【００４３】
このようにして得られた本発明の第１実施例である栽培装置１００は、植物ＰＴを収容する栽培容器１１０と、栽培容器１１０を支持する容器支持体１２０と、培養液ＦＬを貯える培養液用容器１３０と、培養液ＦＬを栽培容器１１０の内部の植物ＰＴへ導くシート状給液用導液材１４０とを備え、シート状給液用導液材１４０が、容器支持体１２０の上に配設されるとともに、シート状給液用導液材１４０の一部である端部１４１が、培養液用容器１３０の内部の培養液ＦＬに浸かり、栽培容器１１０が、筒状側壁部１１１と防根フィルムで形成された底フィルム部１１２とを有してシート状給液用導液材１４０の上に載置自在に設けられ、栽培容器１１０がシート状給液用導液材１４０の上に載置されているとき、筒状側壁部１１１が、穴１５１の内側と接触するとともに、底フィルム部１１２が、シート状給液用導液材１４０と接触していることにより、植物ＰＴに必要な栄養を供給するとともに、容易に栽培容器１１０をシート状給液用導液材１４０から離して持ち運ぶことができる。
特に、食卓やキッチンへ持ち運んで植物ＰＴの食用の一部を摘んでから元に戻すことで容易に家庭菜園を楽しむことができる。
【００４４】
また、容器支持体１２０の上に配設されたシート状給液用導液材１４０の中央部１４２を覆うとともにシート状給液用導液材１４０に対する栽培容器１１０の位置を決める板状容器位置決めホルダー１５０をさらに備え、板状容器位置決めホルダー１５０が、栽培容器１１０を位置決めする穴１５１を有してシート状給液用導液材１４０の上に配設され、栽培容器１１０が、板状容器位置決めホルダー１５０の穴１５１に着脱自在に挿入され、栽培容器１１０が板状容器位置決めホルダー１５０の穴１５１に入っているとき、筒状側壁部１１１が、穴１５１の内側と接触するとともに、底フィルム部１１２が、シート状給液用導液材１４０と接触していることにより、培養液ＦＬの蒸発を最小に抑えるとともに、栽培容器１１０の姿勢を安定させることができる。
【００４５】
さらに、栽培容器１１０の底フィルム部１１２の上に容器内給液用導液材１１３が配設されていることにより、植物ＰＴに必要な栄養をより効果的に供給するとともに、培養液ＦＬが滴ることを回避でき、栽培容器１１０がシート状給液用導液材１４０から離されている時間が長い場合であっても植物ＰＴに必要な栄養を供給し続けることができる。
【００４６】
また、栽培容器１１０の内部において、容器内給液用導液材１１３が、栽培容器１１０の底部から側方に延びてから上方へ延びて培地ＣＭの内部で水平方向に延びて側視コ字状に設けられていることにより、高い確率で発芽させることができるとともに、成長の早い丈夫な植物ＰＴができる。
さらに、容器内給液用導液材１１３の側視コ字状の導液材上部１１３ｄが、帯状に形成されて栽培容器１１０の平面視で栽培容器１１０の中央のみを横切って両側方を横切らない構成であることにより、容器内給液用導液材１１３の導液材上部１１３ｄを設けた場合であっても根の発育の妨げになることを回避できる。
【００４７】
また、容器支持体１２０が、培養液用容器１３０の底部１３３と接触した状態で栽培容器１１０を支持していることにより、シート状給液用導液材１４０の上に残された栽培容器１１０が不安定に傾いてしまうことを回避できる。
また、本発明の第１実施例である栽培方法は、栽培容器１１０と容器支持体１２０と培養液用容器１３０とシート状給液用導液材１４０とを備え、シート状給液用導液材１４０が、容器支持体１２０の上に配設されるとともに、シート状給液用導液材１４０の一部である端部１４１が、培養液用容器１３０の内部の培養液ＦＬに浸かり、栽培容器１１０が、筒状側壁部１１１と防根フィルムで形成された底フィルム部１１２とを有してシート状給液用導液材１４０の上に載置自在に設けられ、栽培容器１１０がシート状給液用導液材１４０の上に載置されているとき、底フィルム部１１２がシート状給液用導液材１４０と接触する構成の栽培装置１００を用いた栽培方法であって、シート状給液用導液材１４０が、培養液用容器１３０の内部の培養液ＦＬを吸い上げる培養液吸い上げ工程と、シート状給液用導液材１４０が、培養液吸い上げ工程で吸い上げた培養液ＦＬを栽培容器１１０の内部へ供給する培養液供給工程とを具備していることにより、植物ＰＴに必要な栄養を供給するとともに、容易に栽培容器１１０をシート状給液用導液材１４０から離して持ち運ぶことができるなど、その効果は甚大である。
【実施例２】
【００４８】
続いて、本発明の第２実施例である栽培装置２００について、図５に基づいて説明する。
ここで、図５は、本発明の第２実施例の栽培装置２００の概略を示す断面図である。
第２実施例の栽培装置２００は、第１実施例の栽培装置１００の容器支持体１２０の脚部１２１を無くすとともに容器支持体１２０を発泡スチロールで形成したものであり、多くの要素について第１実施例の栽培装置１００と共通するので、共通する事項については詳しい説明を省略し、下２桁が共通する２００番台の符号を付すのみとする。
【００４９】
本発明の第２実施例である栽培装置２００は、図５に示すように、栽培容器２１０と、容器支持体２２０と、培養液用容器２３０と、シート状給液用導液材２４０と、板状容器位置決めホルダー２５０とを備えている。
このうち、容器支持体２２０は、一例として発泡スチロールで形成され、培養液用容器２３０の内部の培養液ＦＬに浮かべられている。
【００５０】
そして、容器支持体２２０が、培養液用容器２３０の内部の培養液ＦＬの上に浮かんだ状態で栽培容器２１０を支持している。
つまり、容器支持体２２０の浮力を利用して栽培容器２１０および板状容器位置決めホルダー２５０を支持する構成である。
これにより、培養液ＦＬの量に応じて容器支持体２２０が高さ方向に変位してシート状給液用導液材２４０が培養液ＦＬと常に接触する。
その結果、培養液ＦＬを栽培容器２１０の内部へ安定して供給することができる。
【００５１】
このようにして得られた本発明の第２実施例である栽培装置２００は、容器支持体２２０が、培養液用容器２３０の内部の培養液ＦＬの上に浮かんだ状態で栽培容器２１０を支持していることにより、培養液ＦＬを栽培容器２１０の内部へ安定して供給することができるなど、その効果は甚大である。
【符号の説明】
【００５２】
１００、  ２００  ・・・  栽培装置
１１０、  ２１０  ・・・  栽培容器
１１１、  ２１１  ・・・  筒状側壁部
１１２、  ２１２  ・・・  底フィルム部
１１３、  ２１３  ・・・  容器内給液用導液材（保水シート）
１１３ａ、２１３ａ・・・  導液材底部
１１３ｂ、２１３ｂ・・・  導液材上方延設部
１１３ｃ、２１３ｃ・・・  導液材上部
１１３ｄ          ・・・  （変形例の）導液材上部
１２０、  ２２０  ・・・  容器支持体
１２１            ・・・  脚部
１３０、  ２３０  ・・・  培養液用容器
１３１、  ２３１  ・・・  排液口
１３２、  ２３２  ・・・  給液口
１３３            ・・・  底部
１４０、  ２４０  ・・・  シート状給液用導液材
１４１、  ２４１  ・・・  端部
１４２、  ２４２  ・・・  中央部
１５０、  ２５０  ・・・  板状容器位置決めホルダー
１５１、  ２５１  ・・・  穴
１５２            ・・・  蓋
ＣＭ  ・・・  培地
ＰＴ  ・・・  植物
ＦＬ  ・・・  培養液
ＷＬ  ・・・  水位
【図１】
2018064462.tif 000003
【図２】
2018064462.tif 000004
【図３】
2018064462.tif 000005
【図４】
2018064462.tif 000006
【図５】
2018064462.tif 000007